(57)【要約】【課題】レンズ鏡筒を保護するとともに、外観デザイン上で一体感を有する監視カメラ装置を提供する。【解決手段】レンズ筐体１３をカメラ筐体８とのバヨネット式係合により取り外し自在に設けたから、レンズ鏡筒４を保護できるとともに、合成樹脂製の成形品であるカメラ筐体８とレンズ筐体１３のデザインを統一させたり調和させたりして外観デザイン上で一体感を持たせることができる。レンズ筐体１３はカメラ筐体８から簡単に取り外すことができ、必要に応じてレンズ鏡筒４に設けたズーム調整ノブ６及びフォーカス調整ノブ７を操作して各調整を行うことができる。レンズ筐体に被せた筒状カバーを回動させ、レンズ筐体に形成した開口部と、筒状カバーに形成した開口とを合致させて各調整を可能にするとともに、筒状カバーとカメラ筐体のデザインの統一や調和により外観デザイン上で一体感を持たせることができる。【選択図】　　　　図１
2004094003.tif 000002
【特許請求の範囲】
【請求項１】
カメラ本体を組み込んだカメラ筐体からレンズ鏡筒を突出させ、該レンズ鏡筒を保護するレンズ筐体を前記カメラ筐体とのバヨネット式係合により取り外し自在に設けたことを特徴とする監視カメラ装置。
【請求項２】
カメラ本体を組み込んだカメラ筐体からレンズ鏡筒を突出させ、該レンズ鏡筒を保護するレンズ筐体をカメラ筐体に一体成形するとともに、該レンズ筐体に被せた筒状カバーを回動自在に前記カメラ筐体に嵌め込み、該筒状カバーを回動して前記レンズ筐体の側周部に形成した開口と、前記筒状カバーの側周部に形成した開口とを合致させるようにしたことを特徴とする監視カメラ装置。
【発明の詳細な説明】
【０００１】
【発明の属する技術分野】
本発明は、監視カメラ装置に関するものである。
【０００２】
【従来の技術】
従来の監視カメラ装置は、カメラ本体をカメラ筐体に組み込んで、レンズ鏡筒をそのまま該カメラ筐体から突出させていた。これは、監視カメラ装置を設置した後でも、レンズ鏡筒に設けたズーム調整ノブ及びフォーカス調整ノブを操作できるようにするためである。
【０００３】
【発明が解決しようとする課題】
しかしながら、レンズ鏡筒をそのままカメラ筐体から突出させた形態は、レンズ鏡筒の保護の点からも好ましくないばかりでなく、外観デザインの観点からも一体感が欠如する。
本発明は上記問題点を解決するためになされたもので、レンズ鏡筒を保護するとともに、外観デザイン上で一体感を有する監視カメラ装置を提供することを目的とする。
【０００４】
【課題を解決するための手段】
上記目的を達成するため、請求項１に記載された監視カメラ装置は、カメラ本体を組み込んだカメラ筐体からレンズ鏡筒を突出させ、該レンズ鏡筒を保護するレンズ筐体を前記カメラ筐体とのバヨネット式係合により取り外し自在に設けたことを特徴とする。
【０００５】
また、請求項２に記載された監視カメラ装置は、カメラ本体を組み込んだカメラ筐体からレンズ鏡筒を突出させ、該レンズ鏡筒を保護するレンズ筐体をカメラ筐体に一体成形するとともに、該レンズ筐体に被せた筒状カバーを回動自在に前記カメラ筐体に嵌め込み、該筒状カバーを回動して前記レンズ筐体の側周部に形成した開口と、前記筒状カバーの側周部に形成した開口とを合致させるようにしたことを特徴とする。
【０００６】
【発明の作用及び効果】
請求項１に記載の監視カメラ装置は、レンズ筐体をカメラ筐体とのバヨネット式係合により取り外し自在に設けたから、レンズ鏡筒を保護できるとともに、カメラ筐体とレンズ筐体のデザインを統一させたり調和させたりして外観デザイン上で一体感を持たせることができる。さらに、レンズ筐体をカメラ筐体から簡単に取り外すことができ、必要に応じてレンズ鏡筒に設けたズーム調整ノブ及びフォーカス調整ノブを操作して各調整を行うことができる。
【０００７】
請求項２に記載の監視カメラ装置は、カメラ筐体に一体成形したレンズ筐体に被せた筒状カバーを回動させ、レンズ筐体の側周部に形成した開口と、筒状カバーの側周部に形成した開口とを合致させることができる。カメラ筐体とレンズ筐体のデザインを統一させたり調和させたりして外観デザイン上で一体感を持たせることができるとともに、筒状カバーに形成した開口の輪郭が外観に顕れるから、特異な意匠感を与えることができる。また、カメラ筐体と筒状カバーによりレンズ鏡筒を保護することができるとともに、必要に応じて筒状カバーを回動してレンズ鏡筒に設けたズーム調整ノブ及びフォーカス調整ノブを操作して各調整を行うことができる。
【０００８】
【発明の実施の形態】
（第１実施形態）
本発明の第１実施形態について添付図面を参照して説明する。図１はレンズ筐体１３を取り外した監視カメラ装置１の斜視図、図２は監視カメラ１の斜視図である。監視カメラ２は、撮像レンズ３を組み込んだレンズ鏡筒４と、ＣＣＤ撮像素子や撮像制御回路等を実装したカメラ本体５とからなる。レンズ鏡筒４には、ズーム調整ノブ６とフォーカス調整ノブ７が設けられている。
【０００９】
カメラ本体５は、カメラ筐体８内に装着固定されている。カメラ筐体８は合成樹脂製の成形品であって、前面に装着孔９が形成されている。装着孔９の孔縁には、１２０度角間隔で３個の装入凹部１０を形成した円弧状の係合部１１が一体成形されている。さらに、係合部１１には各装入凹部１０の略中間位置で裏面に突出するストッパ片１２が一体成形されている。該装着孔９には、レンズ鏡筒４に被せて保護する合成樹脂製の成形品である円筒状のレンズ筐体１３が装着される。該レンズ筐体１３の後端開口１４の開口縁には、１２０度角間隔で３個の係合爪片１５が上記装入凹部１０に装入可能に一体成形されている。
【００１０】
上記レンズ筐体１３はレンズ鏡筒４に被せるとともに、各係合爪片１５をカメラ筐体８の装着孔９の各装入凹部１０に装入し、後端開口１４の後端面を円弧状の係合部１１の前端面に当接させる。そして、レンズ鏡筒１３を左右何れかに回動させると、各係合爪片１５が係合部１１の裏面に回り込んで係合するとともに、ストッパ片１２に当接して該レンズ筐体１３の回動が規制されるいわゆるバヨネット式係合により、該レンズ筐体１３がカメラ筐体８に装着される。
【００１１】
上記構成の第１実施形態の監視カメラ装置１は、レンズ筐体１３をカメラ筐体８とのバヨネット式係合により取り外し自在に設けたから、レンズ鏡筒４を保護できるとともに、合成樹脂製の成形品であるカメラ筐体８とレンズ筐体１３のデザインを統一させたり調和させたりして外観デザイン上で一体感を持たせることができる。さらに、レンズ筐体１３をカメラ筐体８から簡単に取り外すことができ、必要に応じてレンズ鏡筒４に設けたズーム調整ノブ６及びフォーカス調整ノブ７を操作して各調整を行うことができる。
【００１２】
（第２実施形態）
図３は第２実施形態の監視カメラ装置２１のカメラ筐体２２と筒状カバー３１を分離した斜視図、図４は監視カメラ装置２１の斜視図、図５は筒状カバー３１を回動した監視カメラ装置２１の斜視図である。監視カメラ装置２１は、第１実施形態で説明したと同一の監視カメラ２が用いられている。図４に示すように、カメラ本体５を装着固定する合成樹脂製の成形品であるカメラ筐体２２の前半分２２ａの前面には、筒状のレンズ筐体２３が一体成形されている。
【００１３】
図３に示すようにレンズ筐体２３は、軸方向の途中から側周壁の一部を取り除いて開口部２４を形成した不完全筒部２５が形成されている。不完全筒部２５の前端面には内向きフランジ２６が一体成形されている。また、不完全筒部２５の開口部２４には径方向に突出させて対向させた一対のカバー片２７が一体成形されている。該カバー片２７の対向間隔内に、監視カメラ２のレンズ鏡筒４に設けたズーム調整ノブ６及びフォーカス調整ノブ７が突出する。さらに、レンズ筐体２３の基部の周壁には、略半周に亘って案内溝２８が形成されている。
【００１４】
また、合成樹脂製の成形品である筒状カバー３１は、前端面３２に開口３３が形成され、該開口３３の口縁部の裏側に係合爪片３４が一体成形されている。さらに、後端開口３５の口縁部にも係合爪片３６が一体成形されている。そして、筒状カバー３１には、側周壁の一部と前端面３２の一部を連続的に取り除いた開口３７が形成されている。
【００１５】
上記筒状カバー３１はレンズ筐体２３に被せて、係合爪片３４をレンズ筐体２３の内向きフランジ２６の裏側に嵌め込んで係合させるとともに、係合爪片３６を案内溝２８に嵌め込んで係合させる。これにより、筒状カバー３１は、レンズ筐体２３の外側に回動自在に装着される。筒状カバー３１の回動は、案内溝２８に係合する係合爪片３６が該案内溝２８の溝端に当接することにより、略１８０度の回動角に規制される。図５に示すように筒状カバー３１を回動してレンズ筐体２３の開口部２４と、筒状カバー３１の開口３７とを合致させることができる。開口部２４に形成したカバー片２７の対向間隔内には、監視カメラ２のレンズ鏡筒４に設けたズーム調整ノブ６及びフォーカス調整ノブ７が突出している。
【００１６】
上記構成の第２実施形態の監視カメラ装置１は、カメラ筐体２２の前半部２２ａに一体成形したレンズ筐体２３に被せた筒状カバー３１を回動させ、レンズ筐体２３の側周部を取り除いて形成した開口部２４と、筒状カバー３１の側周部を取り除いて形成した開口３３とを合致させることができる。合成樹脂製の成形品である筒状カバー３１とカメラ筐体２２のデザインを統一させたり調和させたりして外観デザイン上で一体感を持たせることができるとともに、筒状カバー３１に形成した開口３７の輪郭が外観に顕れるから、特異な意匠感を与えることができる。また、カメラ筐体２３と筒状カバー３１によりレンズ鏡筒４を保護することができるとともに、必要に応じて筒状カバー３１を回動してレンズ鏡筒４に設けたズーム調整ノブ６及びフォーカス調整ノブ７を操作して各調整を行うことができる。
【図面の簡単な説明】
【図１】第１実施形態の監視カメラ装置であって、レンズ筐体を取り外した状態の斜視図、斜視図である。
【図２】第１実施形態の監視カメラ装置の斜視図である。
【図３】第２実施形態の監視カメラ装置のカメラ筐体と筒状カバーを分離した状態の斜視図である。
【図４】第２実施形態の監視カメラ装置の斜視図である。
【図５】筒状カバーを回動した第２実施形態の監視カメラ装置の斜視図である。
【符号の説明】
１，２１．．．監視カメラ装置
２．．．監視カメラ
４．．．レンズ鏡筒
８，２２．．．カメラ筐体
９．．．装着孔
１０．．．装入凹部
１１．．．係合部
１３，２３．．．レンズ筐体
１５．．．係合爪片
２４．．．開口部
２５．．．不完全筒部
３１．．．筒状カバー
３７．．．開口
【図１】
2004094003.tif 000003
【図２】
2004094003.tif 000004
【図３】
2004094003.tif 000005
【図４】
2004094003.tif 000006
【図５】
2004094003.tif 000007